(57)【要約】      （修正有）【課題】塵埃などが侵入しないコルゲートチューブ梱包箱を提供する。【解決手段】梱包箱１の上面部２にコルゲートチューブ６を引き出すための扉３を開閉自在に設けたものである。  扉を開けてコルゲートチューブを引き出して配線作業を行い、配線作業終了後は、残りのコルゲートチューブを前記梱包箱に収納し、扉を閉じておくことにより梱包箱内が粉塵や小動物の糞などで汚染されるのが防止される。また、扉の外周に小窓７を設けるか、あるいは扉外周に沿った本体側に小窓を設けるかして、そこにコルゲートチューブの引き出端部６ａを係留しておくことにより、コルゲートチューブの引き出し端部を梱包箱内で探し出す手間が省ける。【選択図】図１
2007284110.tif 000002
【特許請求の範囲】
【請求項１】
コルゲートチューブを収納する梱包箱の上面部にコルゲートチューブを引き出すための扉を開閉自在に設け、さらに前記コルゲートチューブの引き出し端部を係留するための係留部として、前記扉の外周に小窓を設けたコルゲートチューブ梱包箱。
【請求項２】
コルゲートチューブを収納する梱包箱の上面部にコルゲートチューブを引き出すための扉を開閉自在に設け、さらに前記コルゲートチューブの引き出し端部を係留するための係留部として、前記扉の周囲の梱包箱の本体部分に小窓を設けたコルゲートチューブ梱包箱。
【請求項３】
請求項１または請求項２に記載のコルゲートチューブ梱包箱内に収納されたコルゲートチューブの引き出し端部にステッカーを取り付けたコルゲートチューブの梱包構造。
【請求項４】
前記ステッカーの片面に粘着層が形成されており、他の片面にステッカーとコルゲートチューブを結ぶ把持具が設けられ、コルゲートチューブを把持具で把持し、さらにステッカーでコルゲートチューブを把持した把持具を梱包箱に固定した請求項３記載のコルゲートチューブの梱包構造。
【請求項５】
前記ステッカーの片面の粘着層がマジックテープにより構成され、また梱包箱本体の任意の位置に、マジックテープの片面を貼り付けた構造の請求項４記載のコルゲートチューブの梱包構造。
【請求項６】
請求項１または２記載の小窓を有する梱包箱にコルゲートチューブを収納した梱包構造において、小窓の寸法がコルゲートチューブの山部の径より小さく、谷部の径より大きいコルゲートチューブの梱包構造。
【発明の詳細な説明】
【技術分野】
【０００１】
本発明は、コルゲートチューブの傷を防止するとともに、塵埃などが侵入しないコルゲートチューブ梱包箱およびコルゲートチューブを容易に引き出しと固定が可能なコルゲートチューブの梱包構造に関する。
【背景技術】
【０００２】
コルゲートチューブは、環状の山部と谷部が軸線方向に交互に設けられた蛇腹状の屈曲自在の円筒体からなり、自動車内のワイヤーハーネスの保護、ビルの梁周辺部に取り付けられるケーブルの保護、２重天井ころがし配線でのケーブルの弱電流線やガス管などとの隔離、防犯センサーケーブルの保護などに使用されているものであり、主として、各種ケーブルや配管・配線の保護に使用できる。
【０００３】
このようなコルゲートチューブは、コイル巻きにして梱包箱に入れ、図６に示すように、梱包箱１１の上面部１２に設けた引き出し口（孔）１３から、コルゲートチューブ６の端部６ａを引き出して使用し、使用後は、残りを梱包箱１１に戻してそのまま現場に保管し、繰り返し使用されていた。引き出し口からは、コイルに巻かれたチューブの巻きをほぐしながら、順次引き出される。このように、順次巻きほぐしながら、引き出すことにより、チューブが絡まったり、巻きが乱れるのが防止できる。
梱包箱１１内のコイル巻きした線状体を引き出す方法として、梱包箱の上面部に開けた孔から線状体を順次引き出す方法が特許文献１に開示されている。
【０００４】
【特許文献１】特開平１０−３３８２２９号公報
【発明の開示】
【発明が解決しようとする課題】
【０００５】
従来の梱包箱は、引き出し口１３を開放したまま保管するため、梱包箱１１内が粉塵や小動物の糞などで汚染されることがあった。また、従来の梱包箱は、引き出し端部を所定の位置に固定しておくことができなかったため、天井裏のような狭くて暗い場所ではコルゲートチューブ６の引き出し端部６ａを探し出すのが困難であった。
本発明は、コルゲートチューブの傷や巻き乱れを防止するとともに、塵埃などが侵入しないコルゲートチューブ梱包箱およびコルゲートチューブを容易に引き出せるコルゲートチューブの梱包構造の提供を目的とする。
【課題を解決するための手段】
【０００６】
請求項１記載の発明は、コルゲートチューブを収納する梱包箱の上面部にコルゲートチューブを引き出すための扉を開閉自在に設け、さらに前記コルゲートチューブの引き出し端部を係留するための係留部として、前記扉の外周に小窓を設けたコルゲートチューブ梱包箱である。
【０００７】
請求項２記載の発明は、コルゲートチューブを収納する梱包箱の上面部にコルゲートチューブを引き出すための扉を開閉自在に設け、さらに前記コルゲートチューブの引き出し端部を係留するための係留部として、前記扉の周囲の梱包箱の本体部分に小窓を設けたコルゲートチューブ梱包箱である。
【０００８】
請求項３記載の発明は、請求項１または請求項２に記載のコルゲートチューブ梱包箱内に収納されたコルゲートチューブの引き出し端部にステッカーを取り付けたコルゲートチューブの梱包構造である。
【０００９】
請求項４記載の発明は、前記ステッカーの片面に粘着層が形成されており、他の片面にステッカーとコルゲートチューブを結ぶ把持具が設けられ、コルゲートチューブを把持具で把持し、さらにステッカーでコルゲートチューブを把持した把持具を梱包箱に固定した請求項３記載のコルゲートチューブの梱包構造である。
【００１０】
請求項５記載の発明は、前記ステッカーの片面の粘着層がマジックテープ（登録商標）により構成され、また梱包箱本体の任意位置に、マジックテープの片面を貼り付けた構造の請求項４記載のコルゲートチューブの梱包構造である。
【００１１】
請求項６記載の発明は、請求項１または２記載の小窓を有する梱包箱にコルゲートチューブを収納した梱包構造において、小窓の寸法がコルゲートチューブの山部の径より小さく、谷部の径より大きいコルゲートチューブの梱包構造である。
【発明の効果】
【００１２】
本発明のコルゲートチューブ梱包箱は、コルゲートチューブの外傷を防止するとともに、その上面部にコルゲートチューブを引き出すための開閉自在の扉が設けられているので、扉を開けてコルゲートチューブを引き出して配線作業を行い、配線作業終了後は、残りのコルゲートチューブを前記梱包箱に収納し、扉を閉じておくことにより梱包箱内が粉塵や小動物の糞などで汚染されるのが防止される。
【００１３】
請求項１記載発明は、前記扉の外周の所要箇所に小窓を設け、そこに前記コルゲートチューブの引き出し端部を係留しておくことにより、コルゲートチューブの引き出し端部を梱包箱内で探し出す手間が省ける。尚、小窓を設ける位置は、例えば、小窓が長方形（正方形も含む）の場合は、小窓を、上面部に設けた開閉自在の扉の折り曲げ部（辺）に対して遠い位置に設けると、箱の内部に収納したチューブの折り曲げ部に働く弾性で扉が押し上げられるモーメントが大きくなり、扉が開いてしまう。そのため、小窓の位置は、折り曲げ部の対辺または反対側ではなく、折り曲げ部の隣の辺の中央部近傍乃至折り曲げ部に近い箇所に設けることが望ましい。小窓は切り欠いても、開閉自在の扉としても良い。
【００１４】
請求項２に記載の発明は、開閉自在の扉の周囲の梱包箱の本体部分に小窓の切り欠きを設けたものである。このように小窓を梱包箱の本体部分に設けると、扉に設けた場合と異なり、コルゲートチューブの曲げ弾性による復元力が働いても、扉には直接力が働らかないので扉が開くことがない。
【００１５】
請求項３記載発明のコルゲートチューブの梱包構造は、梱包箱内に収納されたコルゲートチューブの引き出し端部にステッカーが取り付けられているので、引き出し端部を梱包箱内で容易に探し出すことができる。また、ステッカーが蛍光塗料を含む材料でできている場合や蛍光塗料を塗布した場合は、暗がりでも、容易にコルゲートチューブを探し出すことができるのでより望ましい。
【００１６】
請求項４記載のコルゲートチューブの梱包構造は、コルゲートチューブの引き出し端部に取り付けられたステッカーの片面に粘着層を形成し、他の片面にケーブル把持具を設けておき、前記把持具にコルゲートチューブの引き出し端部を把持させ、前記粘着層を梱包箱の上面部などに貼着しておくことにより、配線作業が効率よく行える。
【００１７】
請求項５記載のコルゲートチューブの梱包構造は、コルゲートチューブをより強固に固定するために、ステッカーは粘着層を設けたテープではなく、マジックテープなどで構成したものである。例えば、対をなすマジックテープの一方を、例えば梱包箱の開閉自在の扉を有する面の所定位置に設けておき、それにステッカーの片面に設けた他方のマジックテープを当接させて貼り付けるものである。粘着層でなく、マジックテープを用いればより強固にコルゲートチューブを固定することができる。また多数回繰り返し使用できる。またマジックテープの固定位置はコルゲートチューブを安定して固定できれば、開閉自在の扉を有する面のどこでも良いが、箱の外周に近い位置に、箱の外周に合わせて取り付けると取り付け易い。
【００１８】
請求項６記載のコルゲートチューブの梱包構造は、請求項１または２記載の小窓を有する梱包箱にコルゲートチューブを収納した梱包構造において、小窓の寸法がコルゲートチューブの山部の径より小さく、谷部の径より大きいもので、コルゲートチューブは小窓に抜け出すことなく良好に係留される。この小窓にコルゲートチューブの引き出し端部を係留した状態で扉を閉めると、梱包箱内への塵埃などの侵入が防止される。
【発明を実施するための最良の形態】
【００１９】
以下に、本発明を、図を参照して具体的に説明する。
請求項１記載発明のコルゲートチューブ梱包箱は、図１（イ）に示すように、梱包箱１の上面部２にコルゲートチューブを引き出すための長方形の扉となる部分３’（例えば２５０ｍｍ×７５ｍｍの大きさ）がミシン目４を入れて設けられ、ミシン目４は扉となる部分３’の３辺に入れられており、図１（ロ）に示すように、このミシン目４を切り裂き、ミシン目４が入っていない１辺５を折り曲げることにより開閉自在の扉３が形成される。扉３を開けた穴が３ａからコルゲートチューブ６の引き出し端部６ａが引き出される。
【００２０】
前記梱包箱１の上面部２に設けられた扉となる部分３’の１辺に、先端が半円状の小窓となる部分７’が全周にミシン目４を入れて設けられており、図１（ロ）に示すように、これらのミシン目４を全て切り裂くことによりコルゲートチューブ６の引き出し端部６ａを係留するための小窓７が形成される。この小窓７の寸法（幅または長さ）をコルゲートチューブ６の山部の径より小さく、谷部の径より大きくしておくとコルゲートチューブ６は、小窓７に抜け出すことなく良好に係留される。図１（ハ）に示すように、この小窓７にコルゲートチューブ６の引き出し端部６ａを係留した状態で扉３を閉めると、梱包箱１内への塵埃などの侵入が防止される。小窓７は切り抜かずに開閉可能な状態にしておいても差し支えない。
【００２１】
請求項２記載発明のコルゲートチューブ梱包箱は、図２に示すように、コルゲートチューブを収納する梱包箱１の上面部２にコルゲートチューブを引き出すための扉３が開閉自在に設けられ、さらに前記コルゲートチューブの引き出し端部を係留するための係留部として、小窓７ａを扉３の周囲の梱包箱１の本体部分に設けたものである。この場合は、コルゲートチューブ６の曲げ弾性による復元力が働いても扉３が開くことがなく、小窓７ａは扉３の折り曲げ部（辺）５から離れた箇所にも設けることができる。
【００２２】
本発明において、梱包箱の形状は、横断面が四角形（図１、２に示したもの）に限らず、図３（イ）、（ロ）に示すような六角形或いは円形などでも良い。梱包箱１の形状は、六角形や円形などの方がコイル（円）状に巻き取ったコルゲートチューブを省スペースで収納できる。また、円形の箱の場合には、箱を転がして運搬できるなどのメリットがある。
【００２３】
本発明のコルゲートチューブの梱包構造は、図４（イ）に示すように、梱包箱１内に収容されたコルゲートチューブ６の引き出し端部６ａにステッカー８を取り付けて、引き出し端部６ａを探し出し易くしたものである。ステッカー８にカラータイなど（図示せず）を結束しておくと引き出し端部６ａがさらに探し出し易くなる。ステッカー８はコルゲートチューブを把持した把持具で梱包箱に固定される。
【００２４】
本発明において、ステッカー８は、図４（ロ）に示すように、基材８ａの表面にクッション層８ｂが設けられ、その上に粘着層８ｃが設けられたもので、粘着層８ｃ上には離型紙８ｄが被せられている。また基材８ａの裏面にケーブル把持具（リボン）９が取り付けられている。
【００２５】
ステッカー８の基材８ａには発泡ポリプロピレンが、クッション層８ｂには発泡ポリエチレンが、リボン９にはポリエチレン被覆鉄線がそれぞれ好適に用いられる。
【００２６】
本発明において、ステッカー８の粘着面は、例えば、クッション層８ｂ上に両面テープの１面を貼り付けることにより簡便に形成できる。ステッカーに貼り付ける両面テープの代わりにマジックテープ（登録商標）を用いることができる。マジックテープを用いる場合には、対をなすマジックテープの一方を箱本体の所定位置に固定する必要がある。
【００２７】
前記ステッカー８は、図５に示すように、その把持具９にコルゲートチューブ６の引き出し端部６ａを把持させ、その粘着層８ｃ（図４（ロ）参照）を梱包箱１の上面部２に貼着しておくことにより、コルゲートチューブ６の仮固定が容易に行え、配線作業の効率が向上する。また、このようにすると配線作業終了後に、梱包箱１にコルゲートチューブ６を安定して収納することができる。
【００２８】
前記ステッカー８は、２重天井の梁などに粘着層形成面を貼着し、把持具（リボンなど）にケーブル或いはケーブルを保護したコルゲートチューブを把持させることにより、屋内配線のケーブル支持具としても使用することができる。
【図面の簡単な説明】
【００２９】
【図１】（イ）〜（ハ）は本発明のコルゲートチューブ梱包箱の第１実施形態を示す斜視説明図である。
【図２】本発明のコルゲートチューブ梱包箱の第２実施形態を示す斜視説明図である。
【図３】（イ）、（ロ）は本発明のコルゲートチューブ梱包箱の第３実施形態を示す斜視説明図である。
【図４】（イ）は本発明のコルゲートチューブ梱包構造の実施形態を示す斜視説明図、（ロ）はステッカーの斜視説明図である。
【図５】本発明のコルゲートチューブ梱包構造の他の実施形態を示す斜視説明図である。
【図６】従来のコルゲートチューブ梱包箱の斜視説明図である。
【符号の説明】
【００３０】
１  本発明のコルゲートチューブ梱包箱
２  梱包箱の上面部
３  梱包箱上面部のコルゲートチューブを引き出すための扉
３’  扉となる部分
４  ミシン目
５  梱包箱上面部の扉となる部分のミシン目が入っていない１辺
６  コルゲートチューブ
６ａコルゲートチューブの引き出し端部
７、７ａ  コルゲートチューブを係留するための小窓
７’  小窓となる部分
８  ステッカー
８ａ  基材
８ｂ  クッション層
８ｃ  粘着層
８ｄ  離型紙
９  ケーブル把持具
１１  従来のコルゲートチューブ梱包箱
１２  コルゲートチューブ梱包箱上面部
１３  コルゲートチューブ引き出し口
【図１】
2007284110.tif 000003
【図２】
2007284110.tif 000004
【図３】
2007284110.tif 000005
【図４】
2007284110.tif 000006
【図５】
2007284110.tif 000007
【図６】
2007284110.tif 000008